(57)【要約】【課題】車両の塗装に使用する塗料が溶剤系から水性系塗料に変ったのに伴い、塗装面の乾燥に時間が掛かるようになったので、乾燥むらを生じないと共に効率良く乾燥できるような車両用塗装ブースの乾燥装置を提供する。【解決手段】横長の空気吹き出し口３ａを有するノズル３を、該吹き出し口３ａを上下に揺動可能にノズル保持器５に枢着し、更に該ノズル保持器５を上下及び左右に移動可能に枠体２に係着した車両用塗装ブースの乾燥装置を形成した。【選択図】図１
2008296068.tif 000002
【特許請求の範囲】
【請求項１】
横長の空気吹き出し口を有するノズルを、該吹き出し口を上下に揺動可能にノズル保持器に枢着してなる車両用塗装ブースの乾燥装置。
【請求項２】
前記ノズルに可撓性を有する送気管を接続すると共に、前記ノズル保持器を、四角い枠状に形成されている枠体の前面に該枠体の前面を上下及び左右に移動可能に係着してなる請求項１に記載の車両用塗装ブースの乾燥装置。
【請求項３】
前記枠体は車輪を有して車両用塗装ブース内の床面上を移動可能に形成されている請求項２に記載の車両用塗装ブースの乾燥装置。
【請求項４】
前記枠体は車両用塗装ブース内に吊り下げて移動可能に形成されている請求項２に記載の車両用塗装ブースの乾燥装置。
【請求項５】
前記ノズルを枢着したノズル保持器の複数個を車両用塗装ブース内の壁面に配設してなる請求項１に記載の車両用塗装ブースの乾燥装置。
【請求項６】
前記ノズルに空気吹き出し量調節手段を具備した請求項１乃至請求項５のいずれか１に記載の車両用塗装ブースの乾燥装置。
【発明の詳細な説明】
【技術分野】
【０００１】
本発明は自動車等の車両用塗装ブースに設ける乾燥装置、特に水性ペイントを使用した塗装の乾燥に最適な乾燥装置に関する。
【背景技術】
【０００２】
自動車の板金塗装後の乾燥のための乾燥装置として、多数の赤外線ランプを装着したものが知られている（例えば、特許文献１参照。）。
【０００３】
又、前後両面を開閉自在な開口に形成したブースを床面上に移動可能に設けた車両用塗装ブース装置の例がある（特許文献２参照。）。
【０００４】
【特許文献１】特開平２−１３１１６８号公報
【特許文献２】実公平３−９８１６号公報
【発明の開示】
【発明が解決しようとする課題】
【０００５】
最近、環境問題が厳しくなるのに伴い、車両の塗装に使用する塗料がシンナー等の溶剤系から水性系塗料に変わりつつある。
【０００６】
水性系塗料は溶剤系塗料に比べて乾燥に要する時間が長く掛かるので、水性系塗料を吹き付けた塗装面に風を当てて乾燥時間を短縮することが考えられる。
【０００７】
従来この種の乾燥装置は、対象物全体に風を吹き付けるようにしていた。
【０００８】
しかし、大きな車両全体に風を吹き付けるのには大量の空気が必要であり、その送風機や駆動用モータも大型となり、又、乾燥装置自体も大型となって、装置が高価になるという問題があった。又、風の吹き出す方向が固定されているため、乾燥状態が一様にならずに乾燥むらを生じることがあるという問題があった。
【０００９】
本発明は前記の問題点を解消し、塗装ブース内で水性系塗料を用いて塗装される車両の塗装面を少ない空気量で能率良く乾燥させることができるような乾燥装置を提供することを目的とする。
【課題を解決するための手段】
【００１０】
本発明は上記の目的を達成すべく、横長の空気吹き出し口を有するノズルを、該吹き出し口を上下に揺動可能にノズル保持器に枢着してなる。
【発明の効果】
【００１１】
本発明によれば、少ない乾燥空気量によって、水性系塗料を用いた車両の塗装面を能率良く乾燥させることができるので、乾燥用空気の供給源も小形な装置で済み、又、塗装面に乾燥むらを生じなくする効果を有する。
【発明を実施するための最良の形態】
【００１２】
本発明を実施するための最良の形態の実施例を以下に示す。
【実施例１】
【００１３】
図１は実施例１の車両用塗装ブースの乾燥装置１の斜視図を示し、該乾燥装置１は枠体２の前面に空気吹き出し用のノズル３を有して、車両塗装ブースの床面上を移動可能に形成されている。
【００１４】
前記枠体２は両側部に柱状の案内棒２ａを立設して縦長の枠状に形成されており、下部には複数個のキャスター２ｂを有して床面上を移動可能な構造となっている。
【００１５】
４は前記案内棒２ａに沿って前記枠体２の前面を上下する定盤で、横長の板状に形成されており、該定盤４の両側部にそれぞれボス部４ａを突設していて、該ボス部４ａを前記案内棒２ａが摺動自在に挿通している。
【００１６】
前記枠体２の上部には一対の滑車４ｂがあって、該滑車４ｂに掛け廻したチェーン４ｃが前記定盤４を吊り下げて保持している。
【００１７】
前記枠体２に設けたチェーン駆動用モータ４ｄが前記チェーン４ｃを巻き上げ又は巻き戻すことにより、前記定盤４は前記案内棒２ａに沿って上下に移動することができる。
【００１８】
前記定盤４の前面には、横長の送りねじ４ｅが該定盤４に両端部を軸支して搭載されており、該送りねじ４ｅの一端部には送りねじ駆動用モータ４ｆが取付けられている。
【００１９】
尚、これら送りねじ４ｅ及び送りねじ駆動用モータ４ｆは、後述するノズル保持器５が前記定盤４上を左右に移動させるための送り装置である。
【００２０】
前記ノズル３は横長の空気吹き出し口３ａを有していて、該空気吹き出し口３ａが上下に揺動可能にノズル保持器５に枢着されている。
【００２１】
前記ノズル３の後部には可撓性を有する送気管３ｂが接続していて、該送気管３ｂが前記ノズル３と塗装ブースの外にある空気供給源（図示せず）とを連結している。
【００２２】
前記ノズル３は空気吹き出し量の調節手段としてダンバー３ｃを内部に具備している。
【００２３】
ノズル３の縦断面図を図２に示した。
【００２４】
前記ダンパー３ｃは板状で、ノズル３内に回動可能に設置されており、中心軸３ｄを中心としてダンパー３ｃの設置角度を調節することにより、吹き出し口３ａからの空気吹き出し量を制御する。
【００２５】
５はノズル保持器で、前記空気吹き出し口３ａが上下に揺動可能となるように前記ノズル３を枢着すると共に、該ノズル３に揺動運動をさせるためのアクチュエータ５ａを具備している。
【００２６】
該アクチュエータ５ａは、例えば空気圧シリンダーとピストンとからなる。
【００２７】
前記ノズル保持器５は、前記送りねじ４ｅを介して前記定盤４に左右への移動可能に係着されている。
【００２８】
即ち、前記ノズル保持器５の後部に前記送りねじ４ｅと係合する雌ねじ部（図示せず）を有しており、前記送りねじ駆動用モータ４ｆによって前記送りねじ４ｅを正方向又は逆方向に回転させることにより、前記ノズル保持器５が定盤４上を右方又は左方に移動させることができる。
【００２９】
次に本実施例の乾燥装置１の使用方法及びその効果について説明する。
【００３０】
乾燥装置１は、車両用塗装ブース内に設置して使用する。
【００３１】
該ブース内において、車両のボディを水性ペイントにて吹き付けをした後、赤外線ランプと共に本発明の乾燥装置１を用いてボディの塗装面の乾燥を行なう。
【００３２】
この時、乾燥装置１は、自動でノズル３の空気吹き出し口３ａに上下の揺動運動をさせながら、ノズル保持器５を定盤４上で左右に移動させ、更に該定盤４を枠体２上で上下に移動させることにより、作業者の手を煩わせることなく広い塗装面に風を送ることができる。
【００３３】
前記の揺動及び移動は、予め設定したプログラムに基づき、自動的に行なう。
【００３４】
前記乾燥装置１は、前記塗装ブース内を移動しながら空気の吹き出しを行なってもよく、又は前記乾燥装置１の複数台を前記塗装ブース内に並べて設置して、一斉に空気の吹き出しを行なわせるようにしてもよい。
【００３５】
このような乾燥に用いる空気は、除塵され且つ温度や湿度の調節された空気が望ましい。
【００３６】
尚、本実施例ではノズル保持器５の送り装置を送りねじ４ｅ及び送りねじ駆動用モータ４ｆからなるものとしたが、これはエアシリンダーを用いた送り装置としてもよい。
【００３７】
又、本実施例では乾燥装置１は枠体２の下部に複数個のキャスター２ｂを有して車両用塗装ブースの床面上を移動可能に形成するとしたが、これは枠体２を床面上に載置する代りに車両用塗装ブース内に吊り下げて移動可能に形成してもよく、又は枠体２を車両用塗装ブースの壁面に沿って左右に移動するように形成してもよい。
【００３８】
このようにノズル３を揺動させ、或いは上下、左右に移動させることで、作業者の手を煩わせることなく塗装面全体に風を送ることができるため、効率良く塗装面全体を乾燥させることができる。
【実施例２】
【００３９】
本発明の実施例２を図３及び図４により説明する。
【００４０】
図３は本実施例の車両用塗装ブースの乾燥装置の縦断面図を示し、Ｂはブース、ｖは被塗装車両である。
【００４１】
前記ブースＢの壁面には、各２口の空気吹き出し口６ａ、６ａを有するノズル６が複数個、横に並んで配設されている。
【００４２】
前記ノズル６は、図４に示す如く、アクチュエータ７の作動により、空気吹き出し口６ａを上下に揺動するように形成されている。
【００４３】
尚、図３において、８は前記ブースＢの壁面に沿って複数個配置された赤外線ランプである。
【００４４】
本実施例では、被塗装車両ｖの側面部への空気の吹き付けが上下の揺動を伴なって行なわれるので、塗装面に乾燥むらを生じなくなる効果を有している。
【産業上の利用可能性】
【００４５】
車両の製造工場及び修理工場における車両用塗装ブースの乾燥装置として利用される。
【図面の簡単な説明】
【００４６】
【図１】実施例１の車両用塗装ブースの乾燥装置の斜視図である。
【図２】前記乾燥装置のノズルの縦断面図である。
【図３】実施例２の車両用塗装ブースの乾燥装置の縦断面図である。
【図４】同上実施例２の一部、アクチュエータの作動を示す説明図である。
【符号の説明】
【００４７】
１          乾燥装置
２          枠体
２ｂ        車輪（キャスター）
３、６      ノズル
３ａ、６ａ  空気吹き出し口
３ｂ        送気管
３ｃ        空気吹き出し量調節手段（ダンパー）
５          ノズル保持器
Ｂ          車両用塗装ブース（ブース）
【図１】
2008296068.tif 000003
【図２】
2008296068.tif 000004
【図３】
2008296068.tif 000005
【図４】
2008296068.tif 000006
【手続補正書】
【提出日】平成19年6月26日(2007.6.26)
【手続補正１】
【補正対象書類名】図面
【補正対象項目名】全図
【補正方法】変更
【補正の内容】
【図１】
2008296068.tif 000007
【図２】
2008296068.tif 000008
【図３】
2008296068.tif 000009
【図４】
2008296068.tif 000010